(57)【要約】【課題】操作性や美観に優れた支持構造を実現した表示装置を提供する。【解決手段】スタンド部２００の支柱２１０に昇降自在にスライドブラケット３００が設けられ、表示パネル部１００とスライドブラケット３００はヒンジ部３１０により連結されている。支柱２１０にはラック部材２３０Ａ、２３０Ｂが設けられ、スライドブラケット３００に設けた歯車３４０Ａ、３４０Ｂが噛合している。支柱２１０の任意の高さでスライドブラケット３００が留まるように歯車３４０Ａ、３４０Ｂの回転動作に摩擦力を付与する摩擦リング３９０が設けられている。歯車３４０Ａ、３４０Ｂとスライドブラケット３００との間には、ゼンマイバネ３７０が組み込まれ、ゼンマイバネ３７０はドラム３６０に収容されている。ゼンマイバネ３７０は歯車３４０Ａ、３４０Ｂの回転方向への付勢を通してスライドブラケット３００の上昇方向の付勢力として作用する。【選択図】        図５
2004271595.tif 000002
【特許請求の範囲】
【請求項１】
平板型の表示パネル部と、前記表示パネル部を支持するスタンド部とを有し、
前記スタンド部は、
設置面上に載置されるベースと、
前記ベース上に立設され略上方に直線状に延在する支柱と、
前記支柱にその延在方向に沿って設けられたラック部材と、
前記表示パネル部の背面にヒンジ部を介して結合されるとともに前記支柱に昇降自在に結合し前記支柱に沿って昇降可能なスライドブラケットと、
前記スライドブラケットに取り付けられ前記ラック部材に噛合しスライドブラケットの支柱に沿った昇降に連動して回転する歯車と、
前記支柱の任意の高さにおいてスライドブラケットが留まるように前記歯車の回転動作に摩擦力を付与する摩擦手段と、
一端が前記歯車側に係止され水平方向に向いた前記歯車の回転中心を中心に巻回状態で配置されるとともに他端が前記スライドブラケット側に係止され、前記歯車の回転に応じて巻回状態が変化し前記歯車に対してスライドブラケットが上昇する回転方向に付勢力を付与するゼンマイバネと、
前記スライドブラケットあるいは前記歯車に取り付けられ前記ゼンマイバネを収容するカバー体と、
を備えることを特徴とする表示装置。
【請求項２】
前記支柱には、その延在方向に沿って延在するガイド部が設けられ、前記スライドブラケットは前記ガイド部に移動可能に結合されていることを特徴とする請求項１記載の表示装置。
【請求項３】
前記ラック部材は前記表示パネル部とは反対の側に位置する前記支柱の背面に設けられ、前記歯車は前記支柱の背面で前記ラック部材に対向して配置されていることを特徴とする請求項１記載の表示装置。
【請求項４】
前記歯車は、前記スライドブラケットで回転不能に支持され水平方向に延在する軸上に回転可能に配設され、前記ゼンマイバネは前記軸上に巻回されて一端が前記歯車側に係止され他端が前記軸に係止されていることを特徴とする請求項１記載の表示装置。
【請求項５】
前記歯車は、前記スライドブラケットで回転不能に支持され水平方向に延在する軸上に回転可能に配設され、前記カバー体は前記軸と同軸の筒状に形成されてその端部が前記歯車に取着され、前記ゼンマイバネは前記軸上に巻回されて一端が前記カバー体に係止され他端が前記軸に係止されていることを特徴とする請求項１記載の表示装置。
【請求項６】
前記ラック部材が前記表示パネル部とは反対の側に位置する前記支柱の背面の左右両側に一対配置され、前記歯車は前記一対のラック部材に対応して一対配置され、前記一対の歯車は前記スライドブラケットで回転不能に支持され水平方向に延在する軸上に回転可能に配設され、前記カバー体は前記軸と同軸の筒状に形成されて前記一対の歯車の間に配置されその両端が前記一対の歯車にそれぞれ取着され、前記ゼンマイバネは前記一対の歯車の間で前記軸上に巻回されて一端が前記カバー体に係止され他端が前記軸に係止されていることを特徴とする請求項１記載の表示装置。
【請求項７】
前記ガイド部は前記支柱の左右両側部にそれぞれ形成されたガイドレールを有し、前記スライドブラケットは前記ガイドレールに転接する複数のローラを有し、前記ローラがガイドレールに沿って転動することでスライドブラケットの昇降動が案内されることを特徴とする請求項１記載の表示装置。
【発明の詳細な説明】
【０００１】
【発明の属する技術分野】
本発明は、例えばパソコン等の周辺機器に用いられる平板型表示パネル部とスタンド部とを有する表示装置に関する。
【０００２】
【従来の技術】
従来より、この種の表示装置としては、表示パネル部を任意の高さ及び傾斜角度に調整可能に支持する構造が必要であり、そのためのスタンド部としては、種々の形態のものが提案されている。
例えば、スタンド部の支柱に形成したガイド部に表示パネル部を昇降可能に取り付けるとともに、この表示パネル部の位置を調整するためのラックと歯車を設け、歯車の回転操作によって表示パネル部の高さ調整を行うものが提案されている（例えば、特許文献１参照）。
また、表示パネル部の背面に設けたスライド部とスタンド部側に形成した円弧状の湾曲面とを摺動自在に配置し、スライド部の位置をコンストンバネによって保持するように構成し、湾曲面に沿ってスライド部をスライドさせることにより、表示パネル部の角度を調整するようにしたものが提案されている（例えば、特許文献２参照）。
【０００３】
【特許文献１】
特開２００１−４２７７９号公報（図４）
【特許文献２】
特開２０００−２５０４１８号公報（図１）
【０００４】
【発明が解決しようとする課題】
しかしながら従来提案されている各種構造には、操作性や美観等の点で、それぞれ欠点を有するものとなっていた。例えば、上記特許文献１に開示された従来技術では、表示パネル部の高さを操作ツマミを操作して調整する必要があり、操作性が悪いという欠点がある。
また、上記特許文献２に開示された従来技術では、表示パネル部を直接操作して位置調整ができるものの、スライド部が湾曲面に摺動する構成であるので調整動作がスムーズでなく、また、コンストンバネ等の構造が外部から視認でき、美観が悪いという欠点もある。
【０００５】
そこで本発明の目的は、操作性や美観に優れた支持構造を実現した表示装置を提供することにある。
【０００６】
【課題を解決するための手段】
前記目的を達成するため本発明の表示装置は、平板型の表示パネル部と、前記表示パネル部を支持するスタンド部とを有し、前記スタンド部は、設置面上に載置されるベースと、前記ベース上に立設され略上方に直線状に延在する支柱と、前記支柱にその延在方向に沿って設けられたラック部材と、前記表示パネル部の背面にヒンジ部を介して結合されるとともに前記支柱に昇降自在に結合し前記支柱に沿って昇降可能なスライドブラケットと、前記スライドブラケットに取り付けられ前記ラック部材に噛合しスライドブラケットの支柱に沿った昇降に連動して回転する歯車と、前記支柱の任意の高さにおいてスライドブラケットが留まるように前記歯車の回転動作に摩擦力を付与する摩擦手段と、一端が前記歯車側に係止され水平方向に向いた前記歯車の回転中心を中心に巻回状態で配置されるとともに他端が前記スライドブラケット側に係止され、前記歯車の回転に応じて巻回状態が変化し前記歯車に対してスライドブラケットが上昇する回転方向に付勢力を付与するゼンマイバネと、前記スライドブラケットあるいは前記歯車に取り付けられ前記ゼンマイバネを収容するカバー体とを備えることを特徴とする。
【０００７】
本発明の表示装置では、直線状のガイド部を有する支柱にスライドブラケットを組み付け、支柱側に設けたラック部とスライドブラケット側に設けた歯車を噛合させるとともに、歯車とスライドブラケットとの間に歯車に対してスライドブラケットが上昇する回転方向に付勢力を付与するゼンマイバネを設け、このゼンマイバネを収容するカバー体を設けた構造により、表示パネル部の高さ調整や傾斜調整を円滑に行うことでき、操作性に優れるとともに、美観にも優れたスタンド構造を提供することが可能となる。
【０００８】
【発明の実施の形態】
以下、本発明による表示装置の実施の形態例について説明する。
図１、図２は本発明の実施の形態例による表示装置の外観を示す側面図であり、図１は昇降動作を示し、図２は傾斜動作を示している。
また、図３、図４、図５は、本実施の形態例による表示装置の内部構造を示す斜視図であり、図３は支柱とスライドブラケットとを結合した状態を示し、図４はスライドブラケットを分解した状態を示し、図５はスライドブラケットの内部をさらに分解した状態を示している。
さらに図６、図７は本実施の形態例による表示装置の支柱とスライドブラケットとの組み付け状態を示す図であり、図６は概略平面図、図７は要部平断面図である。
【０００９】
図１及び図２に示すように、本例の表示装置は、例えば液晶表示パネルを用いた平板型の表示パネル部１００を高さ調整可能及び傾斜調整可能に支持するスタンド部２００を有するものである。
すなわち、表示パネル部１００は、その背面のヒンジ部３１０を介してスライドブラケット３００に結合されており、このスライドブラケット３００はスタンド部２００の支柱２１０に昇降方向にスライド自在に支持されている。したがって、この表示装置では、表示パネル部１００をスライドブラケット３００と一体に昇降操作することにより、図１に矢印Ａで示すように、表示パネル部１００の高さ調整を行えるとともに、表示パネル部１００をヒンジ部３１０を介して回動操作することにより、図２に矢印Ｂで示すように、表示パネル部１００の角度調整を行える。なお、傾斜角度は例えば前方に５°、後方に２０°となっている。そして、これらの調整操作は、表示パネル部１００を直接把持して昇降したり、傾斜させることにより、極めて簡単に行えるものである。
【００１０】
以下、本例の表示装置における各構成要素の構造の詳細について説明する。
まず、スタンド部２００には、机等の設置面上に載置される円盤状のベース２２０と、このベース２２０上に立設された支柱２１０と、この支柱２１０にスライド自在に支持されるスライドブラケット３００とを有する。
ベース２２０は、安定的に表示パネル部１００を支持するために十分な大きさと重量を有している。なお、ベース２２０の形状は円盤型に限らず、方形板状等であっても良い。
また、支柱２１０は、図３乃至図７に示すように、ベース２２０上にネジ止め固定された支持部２１１と、この支持部２１１にネジ止め固定されたアーム部２１２を有し、アーム部２１２がベース２２０から所定の角度で後方に傾斜し、かつ斜め上方に直線状に延在した状態で配置されている。
アーム部２１２は、それぞれコ字型断面を有する２枚の板材２１２Ａ、２１２Ｂを背中合わせに貼り合わせて構成され、平断面がほぼＨ型の柱状に形成され、Ｈ型断面のウェブ部が表示パネル部１００の左右方向に平行して延在するように配置されている。
そして、２枚の板材２１２Ａ、２１２Ｂうち、後方に配置される板材２１２Ｂの両縁部は、さらに外側に屈曲してフランジ状に突出しており、この突出部分がガイドレール（すなわちガイド部）２１３として形成され、このガイドレール２１１に沿って昇降可能にスライドブラケット３００が組み付けられている。
また、後方に配置される板材２１２Ｂの背面には、一対のラック部材２３０Ａ、２３０Ｂが設けられている。各ラック部材２３０Ａ、２３０Ｂは、板材２１２Ｂの左右両側隅部にラック部を後方に向けた状態で配置されている。
【００１１】
スライドブラケット３００は、上述した表示パネル部１００を取り付けるヒンジ部３１０と、支柱２１０に組み付けられる第１ブラケット３２０及び第２ブラケット３３０とを有する。
ヒンジ部３１０は、図３、図４、図６に示すように、表示パネル部１００の背面にネジ止めされる取り付け片３１１と、第１ブラケット３２０の前面にネジ止めされる取り付け片３１２と、これら取り付け片３１１、３１２を互いに回転自在に結合する結合軸部３１３を有している。
結合軸部３１３には、摩擦リング３１４が介装されており、摩擦リング３１４が軸方向に締め付けられることにより両者の回転動作に所定の摩擦力が付与されるように構成され、この摩擦力により、表示パネル部１００が所定の傾斜角度に調整された状態で保持される。
なお、このようなヒンジ部３１０の構成は従来より種々の形態が提供されており、表示パネル部１００を傾斜調整できるものであれば、他の構成を用いてもよい。
【００１２】
第１ブラケット３２０は、図４に示すように、支柱２１０の前面に配置される前板部３２０Ａと支柱２１０の両側面に配置される側板部３２０Ｂとを有し、支柱２１０の外周を前面から側面にかけて囲むコ字型に形成されたものであり、その前板部３２０Ａに上述したヒンジ部３１０がネジ止め等によって結合されている。
また、この第１ブラケット３２０の側板部３２０Ｂの内側には、ガイドレール２１３の両面に転接する複数のローラ３２１と、これらローラ３２１を回転自在に支持する支持軸３２２が設けられている。そして、スライドブラケット３００を支柱２１０に組み付けた状態で、２つのローラ３２１がガイドレール２１３を挟み込んだ状態で配置され、このガイドレール２１３に沿って各ローラ３２１が転動することにより、スライドブラケット３００がガイドレール２１３（すなわち、支柱２１０）に沿ってスムーズにスライド動作できるようにガイドされる。また、第１ブラケット３２０の側板部３２０Ｂの後方縁部には、後述する歯車３４０Ａ、３４０Ｂを支持する軸３５０を装着するための切り欠き部３２３が設けられている。
また。第２ブラケット３３０は、支柱２１０の背面で、第１ブラケット３２０の側板部３２０Ｂの後方縁部に連結されて第１ブラケット３２０を補強するものであり、長手板状の上板部３３０Ａの両側に第１ブラケット３２０の側板部３２０Ｂの後方縁部に重なり合う側板部３３０Ｂを設けたものである。そして、第２ブラケット３３０の側板部３３０Ｂの下端縁部には、歯車３４０Ａ、３４０Ｂを支持する軸３５０を装着するための切り欠き部３３１が設けられている。
なお、第１ブラケット３２０の側板部３２０Ｂの切り欠き部３２３と第２ブラケット３３０の側板部３３０Ｂの切り欠き部３３１は、互いに重なり合った状態で、１つの装着孔を構成するものである。
【００１３】
次に、以上のようなスライドブラケット３００には、図５乃至図７に示すように、支柱２１０の背面で歯車３４０Ａ、３４０Ｂ、軸３５０、ドラム（カバー体）３６０、ゼンマイバネ３７０等が組み込まれる。
軸３５０は、その両端が上述した第１ブラケット３２０の側板部３２０Ｂと第２ブラケット３３０の側板部３３０Ｂの各切り欠き部３２３、３３１で形成される装着孔に固定部材３８０等を介して固着され、スライドブラケット３００に一体固定化される。
なお、固定部材３８０は、軸３５０の両端部に形成した半円断面部が嵌合する嵌合孔を有し、軸３５０を回転止めした状態で軸３５０に結合される。また、この固定部材３８０は、複数のネジによってスライドブラケット３００にネジ止めされるが、この部分のネジ挿通孔には一定のクリアランスが設けられており、このクリアランスを用いて軸３５０の角度を微調整し、ゼンマイバネ３７０の巻回状態を微調整できるようになっている。すなわち、固定部材３８０の止めネジをゆるく仮止めした状態で、軸３５０の端部に形成した溝を用いてドライバ等で小さく回転操作し、その後、止めネジを強く締め込んで軸３５０及び固定部材３８０を本固定する。なお、この仮止め時には、図示しないクリップ等を用いて微調整の際のがたつきを防止し、操作性を向上するようになっている。
【００１４】
歯車３４０Ａ、３４０Ｂは、このようにスライドブラケット３００に固定された軸３５０に回転自在に挿通支持されたものであり、ドラム３６０は歯車３４０Ａ、３４０Ｂと一体に回転するように設けられている。
歯車３４０Ａ、３４０Ｂは、ラック部材２３０Ａ、２３０Ｂに対応して支柱２１０の左右両側に一対配置されており、それぞれラック部材２３０Ａ、２３０Ｂに噛合し、スライドブラケット３００の昇降に連動して回転する。
また、ドラム３６０は、両歯車３４０Ａ、３４０Ｂの間に同軸状に配置され、円筒形のドラム本体３６０Ａの両端にフランジ部３６０Ｂを有し、このフランジ部３６０Ｂに各歯車３４０Ａ、３４０Ｂをネジ止めすることで、各歯車３４０Ａ、３４０Ｂと一体化されている。
また、ゼンマイバネ３７０は、巻回状態でドラム３６０内に収容され、一端（外側の端部）がドラム３６０に設けた係止溝３６１に係止され、軸３５０を中心に巻回され、他端（内側の端部）が軸３５０に形成した係止溝３５１（図７参照）に係止されている。
【００１５】
なお、ゼンマイバネ３７０の巻回方向は、スライドブラケット３００が下降する方向に歯車３４０Ａ、３４０Ｂが回転することにより、ゼンマイバネ３７０の巻回状態が締まる方向に変化し、反発力を歯車３４０Ａ、３４０Ｂに与えるような状態となっている。
したがって、このゼンマイバネ３７０のバネ力は、歯車３４０Ａ、３４０Ｂの回転方向への付勢を通してスライドブラケット３００の上昇方向の付勢力として作用し、表示パネル部１００を上昇操作する際に軽快な操作性を実現するものである。なお、ゼンマイバネ３７０の巻回数を十分大きくする（例えば１０巻以上とする）ことにより、スライドブラケット３００の昇降ストロークに対して付勢力をほぼ一定とすることができ、安定的でスムーズな操作性を得ることが可能となる。
【００１６】
軸３５０の歯車３４０Ａ、３４０Ｂとスライドブラケット３００との間隙には、摩擦リング３９０（図７参照）が介装されており、摩擦リング３９０が軸方向に締め付けられることにより歯車３４０Ａ、３４０Ｂの回転動作に所定の摩擦力が付与され、この摩擦力によって歯車３４０Ａ、３４０Ｂの回転が抑制され、表示パネル部１００（スライドブラケット３００）が調整操作後の任意の高さ位置で保持される（留まる）ように構成されている。なお、動摩擦係数と静摩擦係数との関係から、表示パネル部１００の高さ調整時には、摩擦リング３９０の摩擦力は弱くなり、円滑な昇降操作が可能となっている。
【００１７】
以上のような構成の表示装置では、表示パネル部１００を把持して昇降操作したり、傾斜操作することにより、この操作にスタンド部２００に設けた各機構部が追従し、表示パネル部１００を所望の高さや傾きに容易に調整することが可能であり、軽快な操作性を得ることが可能となる。
特に、直線状のガイド構造でスライドブラケット３００をスライド移動する構成により、極めてスムーズな動作を得ることが可能となり、故障等も少ないスタンド構造を提供できる。
さらに、ゼンマイバネ３７０等の内部構造がスライドブラケット３００内に隠され、美観にも優れた構造を実現できる。
【００１８】
なお、以上の例では、歯車３４０Ａ、３４０Ｂの軸３５０を固定とし、ドラム（カバー体）３６０を歯車３４０Ａ、３４０Ｂと一体に回転する構成とし、これらの間にゼンマイバネ３７０を張設したが、軸３５０を回転側としてカバー体３６０を固定側とし、両者の間にゼンマイバネ３７０を張設するような構造とすることも可能である。また、このようなゼンマイバネの張設構造は種々採用が可能であり、適宜に変更が可能なものである。
また、ラック部材２３０Ａ、２３０Ｂや歯車３４０Ａ、３４０Ｂの形状等も適宜変形可能であり、例えば１組のラック部材と歯車を設けたものであってもよいし、例えば幅の広いラック部材と歯車を設けたものであってもよい。
さらに、上述した実施例の具体的構造、例えば軸の固定構造やスライドブラケットの具体的構造、摩擦手段等は種々変形が可能であり、本発明の主旨の範囲で適宜採用し得るものである。
【００１９】
【発明の効果】
以上説明したように本発明の表示装置では、直線状のガイド部を有する支柱にスライドブラケットを組み付け、支柱側に設けたラック部とスライドブラケット側に設けた歯車を噛合させるとともに、歯車とスライドブラケットとの間に歯車に対してスライドブラケットが上昇する回転方向に付勢力を付与するゼンマイバネを設け、このゼンマイバネを収容するカバー体を設けた構造により、表示パネル部の高さ調整や傾斜調整を円滑に行うことでき、操作性に優れるとともに、美観にも優れたスタンド構造を提供することが可能となる。
【図面の簡単な説明】
【図１】本発明の実施の形態例による表示装置の昇降動作時の外観を示す側面図である。
【図２】表示装置の昇降動作時の外観を示す側面図である。
【図３】表示装置の内部構造を示す斜視図である。
【図４】表示装置の内部構造を示す斜視図である。
【図５】表示装置の内部構造を示す斜視図である。
【図６】表示装置の内部構造を示す要部平面図である。
【図７】表示装置の内部構造を示す要部平断面図である。
【符号の説明】
１００……表示パネル部、２００……スタンド部、２１０……支柱、２２０……ベース、２３０Ａ、２３０Ｂ……ラック部材、３００……スライドブラケット、３１０……ヒンジ部、３２０……第１ブラケット、３３０……第２ブラケット、３４０Ａ、３４０Ｂ……歯車、３５０……軸、３６０……ドラム、３７０……ゼンマイバネ。
【図１】
2004271595.tif 000003
【図２】
2004271595.tif 000004
【図３】
2004271595.tif 000005
【図４】
2004271595.tif 000006
【図５】
2004271595.tif 000007
【図６】
2004271595.tif 000008
【図７】
2004271595.tif 000009